(57)【特許請求の範囲】
【請求項１】
上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように取着されてなるものとしたことを特徴とする着物用クリップ。
【請求項２】
上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように取着されたものとし、主紐左側に位置することとなる挟着クリップでは、上前の左襟および襟下生地の分散状とする数箇所を厚み方向に挟着し得るようにすると共に、主紐右側に位置することなる挟着クリップでは、下前の右前身頃生地または衽生地の分散状とする数箇所を摘み得るようにしたことを特徴とする着物用クリップ。
【請求項３】
上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように規制した長さの枝紐を介して取着されてなるものとしたことを特徴とする着物用クリップ。
【請求項４】
クリップ外表面は、動物、植物、風景等適宜装飾模様をあしらってなるものとした、請求項１ないし３何れか記載の着物用クリップ。
【発明の詳細な説明】
【０００１】
【発明の目的】
この発明は、寝間着、ゆかた、浴衣等、主に就寝時に身にまとう着物類の上前および下前の裾側が、寝ている間にはだけてしまうのを阻止するための付属器具に関するものであり、取り扱いが容易な上に携帯にも便利であり、特に寝相に係わらず着物裾側の広がりを確実に押さえることができ、団体旅行やグループ旅行等でホテルや旅館に宿泊したとき等でも、就寝時には全く違和感がなく、しかも、その間の裾はだけ状態を無くすことができることとなって、同宿者に気兼ねなくリラックスして過ごすことができるようにすると共に、意匠効果上においてもお洒落な感覚を楽しむことができるようにする新規な構造からなる着物用クリップを提供しようとするものである。
【０００２】
【従来の技術】
寝間着、ゆかた、バスローブ等の浴衣といった、主に就寝時に身にまとう類いの着物は、一般家庭においても勿論着用されるものの、特に日本の殆どの温泉ホテルや旅館等の宿泊施設では、着用したときのリラックス感や室内着としての格好、備品としての取扱い性等の見地から、夏季ではそのまま一重で、また、夏季以外では、羽織を組み合わせてアンサンブル状に着用するものとして客室に用意され、通年に渡って広く利用されている。
【０００３】
この類いの着物も、一般の和装としての着物同様に、着用するときは、左右の前みごろを合わせ、その上から腰部辺りに帯を巻き付け、締め付けることによって着物の前がはだけてしまう状態をなくし、着たときの姿がきれいに整うようにするのが通例であり、ホテル、旅館等では、一重のままか、羽織を重ねて着用して飲食をしたり、あるいは館内を散策したり、入浴その他の目的で廊下を移動したりすることができる上、楽しい時を過ごした後には、そのまま身にまとって床に就くことになる。
【０００４】
こうした着用スタイルも、それが家族旅行であればさして問題にならないものの、団体旅行や小グループによる旅行等では、同宿となる人が仮令親しい間柄であったとしても、着たまま就寝している間に、寝返りをしたりして前が開ってはだけた状態となってしまうと見苦しいことから、特に女性の場合には少なからず気遣いを余儀なくされ、楽しい筈の旅行も、そのために気疲れをして寝不足になって翌日の旅行に支障を来すことになってしまっている人も多い。
【０００５】
就寝中の前はだけ現象を阻止したくて帯をきつく締めて寝るように対策する人も見受けられるが、腰から上の部分のはだけ現象は取り敢えず押さえられるとしても、裾側のはだけを阻止することはできない上に、きつく巻いた帯のために腹部が圧迫され、先の気遣いに加えて寝苦しさまでが伴ってしまって更に不眠状態に陥り易くなってしまう上、この前はだけ現象に見舞われてしまうと、寒さが厳しくなる季節等には、早朝等の気温が低下する時間帯に寒くなって目覚めてしまい、十分な睡眠時間を取れなくしてしまったり、運が悪ければ風邪の原因にもなってしまい、折角の旅行が仇となってしまうことにもなり兼ねない。
【０００６】
このような実態を避けたいという願いから、ホテル、旅館等に宿泊するときに、わざわざ家庭で常用しているパジャマを持参する人、特に女性が増えているといわれており、これらの人々にとっては、パジャマを持参しなければならない煩わしさと荷物量の増加というハンディーに加え、ホテル、旅館等が用意している備え付けのものが使えず、わざわざ持参しなければならないという矛盾感と共に、備え付けのもの（施設利用料の一部）を使用せずに帰るという不満感も手伝って、旅行の楽しみを十分に満喫できないでいる人達も少なくなく、そうした思いの人達を無くすためにも何らかの有効な対策が希求されて久しいが、これまでのところ、それに応え得る何等の提案もなされてきていない状況にある。
【０００７】
そこで、そうした不都合に不満を抱き続けてきた女性の一人として、何らかの手段を講じることはできないものかと、比較的大型の安全ピンを持参したり、余分に複数本の着付け紐を用意したりしたものの、前者の手段では安全ピンの一部が肌身に触れて違和感がある上、安全ピンとはいうものの、寝ている間に不用意に外れて不測の事態に立ち至ってしまうのではないかとの不安が付きまとうという欠点があり、後者の着付け紐を巻き付けて裾の数箇所を縛っておいても、寝ている間に簡単に抜け出して役に立たず、強く縛ってしまえば窮屈な上、用足しに置き出したときや、何らかの事故に遭遇した際の移動に大きな障害になることも想定され、何れも有効な対策となり得ないことを自覚し、さらばといって、羽織の紐のような紐を、下前と上前の重なり目辺りに予め縫い付けたものにするには、それら用途に供する着物類を提供する側で採用しない限り実現される筈もなく、それが仮に叶ったとしても、既に備品として採用されてしまっている着物類にまでは適用とならないだけではなく、切り替わるまでに相当の時間を要することとなって、今々の対策にはならいことになる。
【０００８】
この発明は、以上のような実情に鑑み、主にホテル、旅館等が用意している館内着としての着物類について、それを着用して寝付いたとしても、裾等が乱れて見苦しい状態に陥ってしまったり、腹部が圧迫されて寝苦しくなる等といった不都合を解消でき、しかも、それら着物類には何等の手を加えることなく、必要な人だけが必要なときに選択、使用して裾はだけ阻止という目的を確実に達成可能にするような有効な手段はないものかとの判断から、逸早くその開発、研究に着手し、長期に渡る試行錯誤と幾多の試作、実験とを繰り返してきた結果、今回、遂に新規な構造からなる着物用クリップを完成することに成功したものであり、以下では、図面に示すこの発明を代表する幾つかの実施例と共に、その構成を詳述していくこととする。
【０００９】
【発明の構成】
図面に示すこの発明を代表する実施例からも明確に理解されるように、この発明の着物用クリップは、基本的に次のような構成から成り立っている。
即ち、上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように取着されてなるものとした構成を要旨とする着物用クリップである。
【００１０】
この基本的な構成からなるこの発明の着物用クリップを、より具体的な構成のものとして示すと、上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように取着されたものとし、主紐左側に位置することとなる挟着クリップでは、上前の左襟および襟下生地の分散状とする数箇所を厚み方向に挟着し得るようにすると共に、主紐右側に位置することなる挟着クリップでは、下前の右前身頃生地または衽生地の分散状とする数箇所を摘み得るようにしてなる構成の着物用クリップとなる。
【００１１】
この基本的な構成のこの発明の着物用クリップには、上前の左襟下と略平行状にして、襟元から略腰までの長さを有するものとした主紐を有し、身頃幅生地数箇所を手繰り寄せ状に挟着可能とする数個の挟着クリップが、当該主紐に対し、その長さ方向に適宜間を置いた位置において、同主紐の左右直角方向であって、夫々主紐から襟幅程度離れた配置となし得るように規制した長さの枝紐を介して取着されてなるものとした構成の着物用クリップが包含されている。
【００１２】
主紐は、後述する複数の挟着クリップ夫々の配置箇所を規制すると共に、左右で対をなす浴衣等着物の襟元を含む襟、襟下、身頃、衽等を含む身頃幅の生地数箇所を挟着可能とする複数の挟着クリップを、該紐に対して左右両側に直角方向に取着、配置し得るようにすると共に、それら複数の挟着クリップが、携行時や保管時等に散逸してしまわないようにする機能を果たすものであり、したがって、前はだけ現象が阻止し得る最適な長さ、即ち、着物の襟元から裾側の膝辺りまでの範囲に相当する適宜な寸法としなければならず、しかも、着物を着用して身体を屈曲させたとき等にも着物に馴染んで強強せず、装着時の意匠効果も期待し得るような素材、例えば天然繊維や化繊からなる組み紐、撚り紐、織り紐、編み紐、裁ち紐、くけ紐、束ね紐、合成紐の何れかか、あるいは伸縮性のあるゴム紐、あるいは金属やプラスチック製の鎖等によって形成されるようにしなければならない。
【００１３】
挟着クリップは、上前の襟元を含む襟、襟下等の身頃幅生地数箇所と下前の前右身頃生地または右衽生地の数箇所を挟着または摘むことによって、着用した着物の前、左右重ね部分がはだけてしまうのを押さえる機能を果たすものであり、前記主紐の左右両側に複数個ずつ配され、当該主紐に対し、直角方向であって襟幅程度の間隔を置いた配置になし得るようにして取着されたものとしなければならず、当該主紐に対しては、挟着クリップ自体を長めのものに形成して、それを直接取着してしまうようにすることも可能ではあるが、襟幅程度の間隔を確実に確保し、なお且つ着物への追随性をよくするためには、挟着クリップ取着箇所となる主紐から所定長さの枝紐を伸ばし、その先端に夫々挟着クリップを取着するようにするのが望ましいと言える。
【００１４】
なお、これら挟着クリップの主紐への取着箇所は、主紐に対し、左右対称となるようにしたり、互い違い、あるいは上下端だけ左右対象で中間のものは互い違いになるようにする等、適宜配置によるものとすることができることは言うまでもないことであり、また、着用時の装飾性を考慮して、挟着クリップの外表面に、動物、植物、風景等の装飾品を接着、溶接、鋲止め等により固着したり、あるいは彫刻、描写等をあしらったものとし、恰もブローチ等のアクセサリーを身に付けたような雰囲気を醸し出すことができるようにし、用意された挟着クリップ外表面の装飾の中から、着物を着用する各人が好みに合わせて選択可能となるようにして、お洒落感覚を楽しむことができるようにしたものとすることもできる。
【００１５】
こうして主紐所定箇所に所定配置となるようにして取着された挟着クリップの中、左側の挟着クリップでは上前の左襟元、襟、襟下生地数箇所を厚み方向に挟着するものとし、右側の挟着クリップでは下前の右前身頃生地または右衽生地の数箇所を摘んでしまうようにするものであり、したがって、生地を厚み方向に挾着したり、摘む状態になし得るに適した構造のものであれば特にその構造に制限はなく、例えば、書類等を挟んでまとめておくための目玉クリップ、洗濯バサミ、携帯電話トラップ先端をポケットや襟に仮着するためのスナップ式クリップ等、公知の各種クリップに倣った構造のものとすることができる。
以下では、これまでに開示してきたこの発明の着物用クリップの構成が、より一層明確に把握することができるようにするため、幾つかの具体的な実施例を取り上げ、それらについて説明を加えていくことにする。
【００１６】
【実施例】
図１に示す着物用クリップを用いて浴衣の前を押さえてなる状態を示す正面図、図２の着物用クリップの正面図によって取り上げた事例は、この発明の着物用クリップを用い、着物類としての浴衣の上前および下前の要所要所を、夫々正面は位置上で互い違いの配置となる箇所を挟着するようにして、対象とする着物類の代表と言える浴衣の前はだけ現象が押さえられるようにした、この発明の基本的構成を具備する最も代表的な構造からなる着物用クリップの一実施例が、その着用状態と共に示してある。
【００１７】
この発明の着物用クリップ１は、図１からも明確に把握できるように、長さ約５５ｃｍ程度の平組み紐（図示にはしていないが、装飾性を考慮し、亀甲、唐組み、矢羽根その他各種模様の組み込まれたものが望ましい。）の左側には、その上下端に、左襟Ｃ１襟元Ｃ８辺りと左前身頃Ｃ５の膝辺り衽Ｃ５ａとをその生地厚み方向を挾着するための挟着クリップ４１，４１、およびその中間、左襟Ｃ１の下端辺りをその生地厚み方向を挾着するための挟着クリップ４１の都合３個が、夫々長さ約２ｃｍ程度とした丸組み紐からなる枝紐３を介して取着され、同右側には、上記３個の挟着クリップ４１，４１，４１とは互い違いの配置となるようにして都合３個の挟着クリップ４１，４１が、右前身頃幅１６部分を夫々摘んで挾着し得るように、やはり長さ約２ｃｍ程度とした丸組み紐からなる枝紐３を介して取着されてなるものに形成されている。
【００１８】
なお、この実施例において、着物用クリップ１の使用対象となる浴衣Ｃは、極普通のものであって、大略左襟Ｃ１、右襟Ｃ２、左袖Ｃ３、右袖Ｃ４、左前身頃幅Ｃ５（該左前身頃Ｃ５に縫合されてなる衽Ｃ５ａを含む。）、右前身頃幅Ｃ６（該右前身頃Ｃ６に縫合されてなる衽を含む。）、左襟下Ｃ７、襟元Ｃ８等から構成されており、この浴衣Ｃは、右前身頃幅Ｃ６を下前とし、その衽を身体の左側に手繰り寄せ、次いで、該右前身頃幅Ｃ６の上に左前身頃幅Ｃ５を重ねるようにして着用されるものである。
【００１９】
こうして着用された浴衣Ｃに対し、図２の装着状態を示す正面図からも容易に理解できるように、左襟Ｃ１の襟元Ｃ８と、該左襟Ｃ１の下部に位置する前記左前身頃幅Ｃ５に縫合されてなる衽Ｃ５ａとを手繰り寄せた状態にしたまま、先ず、左襟Ｃ１生地の襟元Ｃ８近傍を、主紐２上端に約４ｃｍ程度（枝紐３長＋挟着クリップ４１長）の間隔を空けて左側に取着されてなる挟着クリップ４１で厚み方向に挟着し、次いで、同じ主紐２に前記挟着クリップ４１よりも下方で、主紐２中間辺りに取着されてなる挟着クリップ４１で左襟Ｃ１の下端辺りを、さらに主紐２下端に取着されてなる挟着クリップ４１で左前身頃Ｃ５の膝辺り衽Ｃ５ａを夫々厚み方向に挟着してしまう。
【００２０】
挟着クリップ４１，４１，４１全てが、上記の如くして左前所定箇所を挾着状とした後に次いで、主紐２の右側に取着してある２個の挟着クリップ４２，４２を使い、夫々下前の右前身頃幅Ｃ６部分の生地適所を、夫々同所の生地を幾分手繰り寄せるように摘んだ状態にした上、その摘んだ箇所を夫々挾着することによって、この発明の着物用クリップ１が、対象とする浴衣Ｃに装着されたものとなる。
【００２１】
なお、この実施例では、主紐２の左側に取着した３個の挟着クリップ４１，４１，４１で上前の襟元Ｃ８、左襟Ｃ１、左襟下Ｃ７等の左前身頃幅Ｃ５部分を挟着し、右側に取着した２個の挟着クリップ４２，４２で下前の右前身頃幅Ｃ６部分を摘むことにより、浴衣Ｃの前刃だけ現象を抑止するようにした事例を取り上げてあるが、勿論この実施例にのみ拘束される訳ではなく、したがって、挟着クリップ４の数は、左右同数のものとしてもよく、またより効果を高める等の必要があるのであれば、適宜その数を実施例のものよりも増やしたり、左右の割振りを適宜他の配置になるよう設定することも可能になり、また、実施例においては採用していないものの、既述したとおり、それら挟着クリップ４の外表面に、装着時の意匠効果を考慮して、各種動物、植物、風景等を接着、溶接、鋲止、彫刻、描写等であしらってなるものとすることも可能であることは、言うまでもないことである。
【００２２】
【作  用】
以上のとおりの構成からなるこの発明の着物用挟着クリップは、主紐２の左右に配した挟着クリップ４を使い、浴衣Ｃ等の単衣の着物の上前を挟着によって、また、下前を摘みによって装着してしまうことにより、単に重ね状となってしまう着物類の上前と下前とを繋いでしまい、身体の動きで両者が離れたり、捲れてしまう、所謂前はだけの現象をなくすようにする。
【００２３】
しかも、各挟着クリップ４の取着位置を各人が適宜選択、使用することにより、その締め付け度合いは各人の手加減によって調整可能であって、従前までの帯使用と違って腹部が窮屈な状態になってしまう虞れは確実に回避され、仮に、挟着クリップ４１の挟着位置を加減して浴衣１の前を緩くなるようにしたとしても、浴衣１の前がはだけてしまう作用に何等変化はなく、本来の作用が十分に発揮される。
【００２４】
これらの作用は、主紐２の左右に配した挟着クリップ４の着物類所定箇所への装着によって確実にもたらされ、目的を達した後には、その逆の操作によって簡単に着物類から取り外すことができ、その後も、全ての挟着クリップ４は主紐２に取着されていて散逸してしまうことはなく、常に主紐２と一まとめにして取り扱うことができ、次回使用のために保管したり、携行する上で都合が良く、したがって、この発明における主紐２と挟着クリップ４との組合せによる作用は、着物類の前はだけ現象の阻止と取扱い性の利便性という二つの目的を確実に達成可能にすると同時に、着物類を着用したときの意匠的な効果までをも期待することができるようにするものである。
【００２５】
【効  果】
以上のとおり、この発明の着物用挟着クリップによれば、着用したとしても、本来、単に重なり状のままに止まる着物類の上前、下前を、主紐を中心としてその左右に配置、取着してなる複数の挟着クリップが連係して繋がった状態のものにしてしまい、着物類を、言わば筒状構造のものにしてしまうことから、着用者が、就寝時に寝返り等の動作を繰り返したとしても、前が開る等の見苦しい着用状態を確実に回避することができるものになると共に、従前からの帯を使用したときに生ずるような腹部への圧迫感からも解放されることとなり、特に女性の場合には、団体旅行や小グループによる旅行の際にも、ホテルや旅館備付けの浴衣を着用しても、着座姿勢や寝姿への気遣いを一切する必要がなくなる上、パジャマ以上にゆったりとした着用感で就寝することができ、しかも、季節によって朝冷えの厳しいときに前がはだけたための寒さで目覚めたり、風邪に掛かってしまうなどといった心配もなく、朝まで熟睡して旅の疲れを癒すことできるようになるという大きな特徴が得られるものとなる。
【００２６】
特に、実施例に取り上げたものでは、浴衣Ｃの上前の襟元Ｃ８、左襟Ｃ１、左襟下Ｃ７等の左前身頃幅Ｃ５部分を、主紐２の左側に取着した３個の挟着クリップ４１，４１，４１で挟着するようにし、それら３個の挟着クリップ４１，４１，４１の中間辺りに相当する位置から右側真横方向に取着した２個の挟着クリップ４２，４２で下前の右前身頃幅Ｃ６部分を摘むようにしたものでは、上前と下前とのはだけ現象を確実に阻止するための最小限の個数の挟着クリップ４によるものとすることができ、したがって装着、脱着も最小限の手間であって、互い違いの配置で操作し易くなるという極めて実用的な効果が十分に期待できるものとなっている。
【００２７】
叙述の如く、この発明になる着物用挟着クリップは、その新規な構成によって所期の目的を普く達成可能にするものであり、従前からの着物類着用時の不都合が一挙に解決されることになる上、製造も容易であって比較的安価なものとしての提供も可能になり、しかも積極的に着物類着用時の意匠効果を期待するものとしての使用もできることから、特に女性からは有用な旅行用身だしなみグッツの一つとしての評価が得られるものになると共に、ホテル、旅館、病院等宿泊を伴う業界各方面からも、備え付け浴衣に欠かせない付属品の一つとして高い評価がなされることとなり、需要が喚起されて広く採用、普及していくものになると予想される。
【図面の簡単な説明】
図面は、この発明の着物用クリップに係わる代表的な具体例を示したものである。
【図１】この発明の着物用クリップの正面図である。
【図２】同着物用クリップの浴衣への装着状態を示す正面図である。
【符号の説明】
１        着物用クリップ
２        主紐
３        枝紐
４        挟着クリップ
４１      同  主紐左側に配された挟着クリップ
４２      同  右側に配された挟着クリップ
Ｃ        浴  衣
Ｃ１      同  左襟
Ｃ２      同  右襟
Ｃ３      同  左袖
Ｃ４      同  右袖
Ｃ５      同  左前身頃幅
Ｃ５ａ        同    衽
Ｃ６      同  右前身頃幅
Ｃ７      同  左襟下
Ｃ８      同  襟元
【図１】
0003578346.tif 000002
【図２】
0003578346.tif 000003